(57)【要約】      （修正有）【課題】枚葉紙束の形状を維持しながら、ステープラで綴じることを可能とし、見栄えの良い冊子を作成することができる製本用治具を提供する。【解決手段】製本用治具１０を、ベース板２０と、第一受け止め面３３を有する第一受け止め部３０と、第二受け止め面４０ｂを有する第二受け止め部４０と、を備える構成とする。ベース板２０に、平面視において、乗せられる枚葉紙束Ｌの綴じられる一辺に沿った方向の両端部に枚葉紙束が載置される部分が残るように切り欠いて形成され、ステープラ５０を配置可能とする切り欠き部２３（２３ａ、２３ｂ、２３ｃ）を配設し、ベース板２０を設置面Ｆに設置した状態において、ベース板の上面２２が、ステープラを設置面Ｆに設置した状態のステープラの曲げ台５１の上端面５１ａと、略同じ高さとなるように形成する。【選択図】図４
0003185021.tif 000002
【実用新案登録請求の範囲】
【請求項１】
複数の枚葉紙を上下方向に沿って重ね合わせて形成される枚葉紙束を、ステープラで綴じる際に用いられる製本用治具であって、
下面側が設置面に設置され、上面側に前記枚葉紙束が乗せられる平板状のベース板を備え、
前記ベース板の上面には、第一受け止め部と第二受け止め部とが配設され、
前記第一受け止め部は、前記枚葉紙束の綴じられる一辺の側と反対側の端面を受け止め可能に形成され、前記ベース板の上面に対して直交して配置される第一受け止め面を有し、
前記第二受け止め部は、前記枚葉紙束の前記綴じられる一辺と直交する辺の側の端面を受け止め可能に形成され、前記ベース板の上面に対して直交して配置されるとともに、前記第一受け止め面に対して直交する方向に沿って配置される第二受け止め面を有し、
前記ベース板には、
平面視において、前記ベース板の前記第一受け止め面が配設される側とは反対側から前記ベース板の前記第一受け止め面が配設される側に向かうとともに、乗せられる前記枚葉紙束の前記綴じられる一辺に沿った方向の両端部に前記枚葉紙束が載置される部分が残るように切り欠いて形成されて、前記ステープラを配置可能とする切り欠き部が配設され、
前記設置面に設置した状態において、前記ベース板の上面が、前記ステープラを前記設置面に設置した状態の、前記ステープラの曲げ台の上端面と略同じ高さとなるように形成されていることを特徴とする製本用治具。
【請求項２】
隣接する、前記第一受け止め面と、前記第二受け止め面と、の間に間隔が設けられていることを特徴とする請求項１記載の製本用治具。
【考案の詳細な説明】
【技術分野】
【０００１】
本考案は、枚葉紙束を中綴じする製本用治具に関する。
【背景技術】
【０００２】
事業活動においては、各種の契約が行われ、契約内容を記載した枚葉紙を重ね合わせた枚葉紙束を、ステープラ等を用いて冊子にまとめ、契約書の正本、副本を作成することが行われる。
【考案の概要】
【考案が解決しようとする課題】
【０００３】
しかし、重ね合わせられて直方体状となる枚葉紙束の形状を維持しながら、ステープラで綴じるのは困難をともない、出来上がった冊子の形状が歪んだ直方体状となり見栄え悪くなっていた。特に、図面等のサイズの異なる枚葉紙を折り曲げて一緒に閉じる場合には、その傾向が顕著であった。
【０００４】
本考案は、上記事情に鑑み、枚葉紙束の形状を維持しながら、ステープラで綴じることを可能とし、見栄えの良い冊子を作成することができる製本用治具を提供することを目的とする。
【課題を解決するための手段】
【０００５】
請求項１記載の考案では、複数の枚葉紙を上下方向に沿って重ね合わせて形成される枚葉紙束を、ステープラで綴じる際に用いられる製本用治具であって、下面側が設置面に設置され、上面側に枚葉紙束が乗せられる平板状のベース板を備え、ベース板の上面には、第一受け止め部と第二受け止め部とが配設され、第一受け止め部は、枚葉紙束の綴じられる一辺の側と反対側の端面を受け止め可能に形成され、ベース板の上面に対して直交して配置される第一受け止め面を有し、第二受け止め部は、枚葉紙束の前記綴じられる一辺と直交する辺の側の端面を受け止め可能に形成され、ベース板の上面に対して直交して配置されるとともに、第一受け止め面に対して直交する方向に沿って配置される第二受け止め面を有し、ベース板には、平面視において、ベース板の第一受け止め面が配設される側とは反対側からベース板の第一受け止め面が配設される側に向かうとともに、乗せられる枚葉紙束の綴じられる一辺に沿った方向の両端部に枚葉紙束が載置される部分が残るように切り欠いて形成されて、ステープラを配置可能とする切り欠き部が配設され、設置面に設置した状態において、ベース板の上面が、ステープラを設置面に設置した状態の、ステープラの曲げ台の上端面と略同じ高さとなるように形成されている。
【０００６】
これによれば、第一受け止め面及び第二受け止め面で、枚葉紙束の側端面を受け止めて枚葉紙束の形状を維持させることができる。そして、ベース板の上面を、ステープラの曲げ台の上端面と同じ高さとなるように形成し、ベース板の切り欠き部の、乗せられる枚葉紙束の綴じられる一辺に沿った方向の両端部に、枚葉紙束を載置される部分が残されているので、枚葉紙束が下側に撓むのを抑制して、ステープラで綴じることが可能となるので、見栄えの良い冊子を作成することができる。
【０００７】
また、第一受け止め面と第二受け止め面とを連設させた場合には、角部分にゴミがたまって枚葉紙束に変形、歪みが発生していたが、隣接する、第一受け止め面と、第二受け止め面と、の間に間隔を設けて配置しているので、ゴミがたまって枚葉紙束に変形、歪みが発生するのを防止するとともに、枚葉紙束の側端面の角部分にいわゆる遊び部分を形成することができ若干のサイズの違いに対応可能となり、見栄えの良い冊子を作成することに寄与する。また、間隔部分から枚葉紙束を目視することにより枚葉紙束の変形、歪みを確認することができる。
【図面の簡単な説明】
【０００８】
【図１】本考案の一実施形態の製本用治具の斜視図である。
【図２】同実施形態の平面図である。
【図３】同実施形態の側面図である
【図４】同実施形態の枚葉紙束を乗せた状態を示す斜視図である。
【図５】本考案の他の実施形態の製本用治具の斜視図である。
【考案を実施するための形態】
【０００９】
本考案の製本用治具の一実施形態について図面に基づいて説明する。以下の説明において、各図面に記載される矢印の、Ｆを前、ＲＥを後ろ、Ｒを右、Ｌを左、Ｕを上、Ｄを下、とする。
【００１０】
本考案の製本用治具１０は、概略的には図１〜４に示すように、ベース板２０と、第一受け止め面３３を有する第一受け止め部３０と、第二受け止め面４０ｂを有する第二受け止め部４０と、を備え、設置面Ｆに設置され、複数の枚葉紙Ｗを上下方向に沿って重ね合わせて形成される枚葉紙束Ｌを、ステープラ５０で綴じる際に用いられるものである。
【００１１】
なお、ここで、「枚葉紙」とは、ＪＩＳ、Ｚ８１２３−１９９５、番号１０１７に規定される、所定の寸法に裁断された長方形の紙をいう。
【００１２】
ベース板２０は、木製で矩形平板状に形成され、下面２１側が設置面Ｆに設置され、上面２２側に枚葉紙束Ｌが乗せられる。ベース板２０は、図４に示すように、第二受け止め面４０ｂから左端縁までの長さが、枚葉紙束Ｌの長辺より若干短い長さとされ、第一受け止め面３３から前端縁までの長さが、枚葉紙束Ｌの短辺と略同一の長さに形成されている。
【００１３】
ベース板２０には、図１、２、４に示すように、ステープラ５０を配置可能とする切り欠き部２３（２３ａ、２３ｂ、２３ｃ）が、左右方向に沿って三か所設けられている。
【００１４】
各切り欠き部２３（２３ａ、２３ｂ、２３ｃ）は、平面視において、ベース板２０の前側（第一受け止め面３３が配設される側と反対側）から後側（第一受け止め面３３が配設される側）に向かって略矩形状に切り欠いて形成されている。
【００１５】
ベース板２０は、各切り欠き部２３（２３ａ、２３ｂ、２３ｃ）の左右方向に沿った方向（乗せられる枚葉紙束Ｌの長辺に沿った方向）の両端部に、枚葉紙束Ｌが載置される部分としての撓み抑制部２４（２４ａ、２４ｂ、２４ｃ、２４ｄ）が残されて形成されている。
【００１６】
製本用治具１０を設置面Ｆに設置した状態において、図３に示すように、ベース板２０の上面２２が、ステープラ５０の曲げ台５１の上端面５１ａと同じ高さとなるように形成されている。本実施形態では、２１ｍｍに設定されている。
【００１７】
ベース板２０の上面２２には、図１〜４に示すように、第一受け止め部３０と、第二受け止め部４０と、が配設されている。
【００１８】
第一受け止め部３０は、右受け止め部３１、左受け止め部３２と、で構成されている。
【００１９】
右受け止め部３１及び左受け止め部３２は、木製で四角柱状に形成され、ベース板２０の上面２２の後側端縁部の、右受け止め部３１は右側に、左受け止め部３２は左側に、間隔を設けて止着されている。
【００２０】
右受け止め部３１及び左受け止め部３２の下面３１ａ、３２ａとベース板２０の上面２２とを対向させて配置し、ベース板２０の下面２１から上面２２に向かって形成された図示しないねじ孔に、図示しない木ねじを挿通して、ベース板２０と右受け止め部３１、ベース板２０と左受け止め部と３２が、締結され一体化されている。
【００２１】
右受け止め部３１及び左受け止め部３２の前側の面が、右受け止め面３１ｂと、左受け止め面３２ｂとして形成され、図３に示すように、側面視において、ベース板２０の上面２２に対して直交するように配置されるとともに、右受け止め面３１ｂと、左受け止め面３２ｂとが、側面視において、面一となるように、配置されている。
【００２２】
右受け止め面３１ｂ及び左受け止め面３２ｂで、第一受け止め面３３が構成されている。
【００２３】
右受け止め面３１ｂ及び左受け止め面３２ｂは、枚葉紙束Ｌの長辺部分の綴じられる側と反対側の端面ＬＳ１を受け止め可能とされている（実用新案登録請求の範囲の第一受け止め面に相当することになる。）。本実施形態では、平面視における、枚葉紙束Ｌの前側の辺が、枚葉紙束Ｌの綴じられる一辺となり、枚葉紙束Ｌの後側の辺が、枚葉紙束Ｌの長辺部分の綴じられる側の辺と反対側の辺となる。
【００２４】
第二受け止め部４０は、木製で四角柱状に形成され、ベース板２０の上面２２の右側端縁部に止着されている。
【００２５】
第二受け止め部４０の下面４０ａとベース板２０の上面２２とを対向させて配置し、ベース板２０の下面２１から上面２２に向かって形成された図示しないねじ孔に、図示しない木ねじを挿通して、ベース板２０と第二受け止め部４０とが、締結され一体化されている。
【００２６】
第二受け止め部４０の左側の面が第二受け止め面４０ｂとして形成され、正面視において、ベース板２０の上面２２に対して直交するように配置されている。第二受け止め面４０ｂは、第一受け止め面３３を構成する右受け止め面３１ｂ及び左受け止め面３２ｂに対して直交する方向に沿って配置されている。
【００２７】
本実施形態では、枚葉紙束Ｌの短辺部分の右側の端面（枚葉紙束Ｌの枚葉紙束Ｌの綴じられる一辺と直交する辺の側の端面）ＳＳ１を受け止め可能とされている。
【００２８】
隣接する、右受け止め面３１ｂと、第二受け止め面４０ｂとの間には、間隔Ｓが設けられている。
【００２９】
製本用治具１０の使用態様について説明する。
【００３０】
製本用治具１０のベース板２０の下面２１側を下にして設置面Ｆに設置する。複数の枚葉紙Ｗを上下方向に沿って重ね合わせて形成した枚葉紙束Ｌを、ベース板２０の上面２２に乗せる。
【００３１】
第一受け止め面３３を構成する右受け止め面３１ｂ及び左受け止め面３２ｂに、枚葉紙束Ｌの長辺部分の綴じられる側と反対側の端面ＬＳ１を、第二受け止め面４０ｂに、枚葉紙束Ｌの短辺部分の右側の端面ＳＳ１を、押し当て、枚葉紙束Ｌを直方体状に整える。
【００３２】
このとき、ベース板２０は、第二受け止め面４０ｂから左端縁までの長さが、枚葉紙束Ｌの長辺より若干短い長さとされるとともに、切り欠き部２３（２３ａ、２３ｂ、２３ｃ）により、枚葉紙束Ｌの短辺部分の左側の端面ＳＳ２及び枚葉紙束Ｌの長辺部分の綴じられる側の端面ＬＳ２を、手で整えやすくなっている。
【００３３】
任意の切り欠き部２３（２３ａ、２３ｂ、２３ｃ）に、ステープラ５０を配置する。枚葉紙束Ｌを上側から手で押さえる等しながら、ステープラ５０で、枚葉紙束Ｌを綴じる。他の切り欠き部２３（２３ａ、２３ｂ、２３ｃ）に、ステープラ５０を配置して、ステープラ５０で、枚葉紙束Ｌを綴じ、必要な回数、綴じ作業を繰り返して冊子を作成する。
【００３４】
枚葉紙束Ｌの綴じ作業時には、ステープラ５０の曲げ台５１の上端面５１ａと同じ高さとなるように形成され、ベース板２０の各切り欠き部２３（２３ａ、２３ｂ、２３ｃ）の左右方向に沿った方向（乗せられる枚葉紙束Ｌの長辺に沿った方向）の両端部に形成された、撓み抑制部２４（２４ａ、２４ｂ、２４ｃ、２４ｄ）により、ステープラ５０の曲げ台５１の上端面５１ａを左右で挟んで保持し、枚葉紙束Ｌが、下側に撓むのを抑制する。
【００３５】
また、隣接する、右受け止め面３１ｂと、第二受け止め面４０ｂと、の間に間隔Ｓを設けていることにより、ゴミがたまるのを防止し、ゴミと枚葉紙束Ｌとが干渉して、枚葉紙束Ｌに変形、歪みが発生するのを防止する。
【００３６】
間隔Ｓは、枚葉紙束Ｌの端面ＬＳ１、ＳＳ１の角部分にいわゆる遊び部分を形成することができ若干のサイズの違いに対応可能となる。
【００３７】
また、間隔Ｓ部分から、枚葉紙束Ｌの長辺部分の綴じられる側と反対側の端面ＬＳ１及び枚葉紙束Ｌの短辺部分の右側の端面ＳＳ１を目視することにより、枚葉紙束Ｌの変形、歪みを確認することができる。
【００３８】
上記構成の製本用治具１０では、複数の枚葉紙Ｗを上下方向に沿って重ね合わせて形成される枚葉紙束Ｌを、ステープラ５０で綴じる際に用いられる製本用治具であって、下面２１側が設置面Ｆに設置され、上面２２側に枚葉紙束Ｌが乗せられる平板状のベース板２０を備え、ベース板２０の上面２２には、第一受け止め部３０と第二受け止め部４０とが配設され、第一受け止め部３０は、枚葉紙束Ｌの綴じられる一辺の側と反対側の端面ＬＳ１を受け止め可能に形成され、ベース板２０の上面２２に対して直交して配置される右受け止め面３１ｂ、左受け止め面３２ｂを有し、第二受け止め部４０は、枚葉紙束Ｌの綴じられる一辺と直交する辺の側の端面ＳＳ１を受け止め可能に形成され、ベース板２０の上面２２に対して直交して配置されるとともに、右受け止め面３１ｂ、左受け止め面３２ｂに対して直交する方向に沿って配置される第二受け止め面４０ｂを有し、ベース板２０には、平面視において、ベース板２０の右受け止め面３１ｂ、左受け止め面３２ｂが配設される側とは反対側からベース板２０の右受け止め面３１ｂ、左受け止め面３２ｂが配設される側に向かうとともに、乗せられる枚葉紙束Ｌの綴じられる一辺に沿った方向の両端部に枚葉紙束Ｌが載置される部分としての撓み抑制部２４（２４ａ、２４ｂ、２４ｃ、２４ｄ）が残るように切り欠いて形成されて、ステープラ５０を配置可能とする切り欠き部２３（２３ａ、２３ｂ、２３ｃ）が配設され、設置面Ｆに設置した状態において、ベース板２０の上面２２が、ステープラ５０を設置面Ｆに設置した状態の、ステープラ５０の曲げ台５１の上端面５１ａと略同じ高さとなるように形成されている。
【００３９】
これによれば、右受け止め面３１ｂ、左受け止め面３２ｂ及び第二受け止め面４０ｂで、枚葉紙束Ｌの端面ＬＳ１、ＳＳ１を受け止めて枚葉紙束Ｌの形状を維持させることができる。そして、ベース板２０の上面２２を、ステープラ５０の曲げ台５１の上端面５１ａと同じ高さとなるように形成し、ベース板２０の切り欠き部２３（２３ａ、２３ｂ、２３ｃ）の、乗せられる枚葉紙束Ｌの綴じられる一辺に沿った方向の両端部に、枚葉紙束Ｌを載置される部分としての撓み抑制部２４（２４ａ、２４ｂ、２４ｃ、２４ｄ）が残されているので、枚葉紙束Ｌが下側に撓むのを抑制して、ステープラ５０で綴じることが可能となるので、見栄えの良い冊子を作成することができる。
【００４０】
また、右受け止め面３１ｂと第二受け止め面４０ｂとを連設させた場合には、角部分にゴミがたまって枚葉紙束Ｌに変形、歪みが発生していたが、隣接する、右受け止め面３１ｂと、第二受け止め面４０ｂと、の間に間隔Ｓを設けて配置しているので、ゴミがたまって枚葉紙束Ｌに変形、歪みが発生するのを防止するとともに、枚葉紙束Ｌの側端面の角部分にいわゆる遊び部分を形成することができ若干のサイズの違いに対応可能となり、見栄えの良い冊子を作成することに寄与する。また、間隔Ｓ部分から枚葉紙束Ｌを目視することにより枚葉紙束Ｌの変形、歪みを確認することができる。
【００４１】
また、設置面Ｆに設置した状態において、ベース板２０の上面２２の高さを、設置面Ｆから２１ｍｍとしているので、設置面Ｆに設置した状態で使用する、卓上で使用されるステープラ５０の曲げ台５１の上端面５１ａの設置面Ｆからの高さ（２１ｍｍのものが比較的多い。）設定に対応させるのが容易となる。
【００４２】
本考案の製本用治具は上記構成に限定されるものではない。即ち、本考案の要旨を逸脱しない限り各種の設計変更等が可能である。以下に、変形した態様を例示する。以下の説明において、上記の実施形態と同じ構成については、同一符号を付し全部又は一部の説明を省略する。
【００４３】
図５に示すように、製本用治具１０Ａは、ベース板２０に、ステープラ５０を配置可能とする切り欠き部６３（６３ａ、６３ｂ）が、前後方向に沿って二か所設けられている。
【００４４】
切り欠き部６３（６３ａ、６３ｂ）は、平面視において、ベース板２０の左側から右側に向かって略矩形状に切り欠いて形成されている。
【００４５】
ベース板２０は、切り欠き部６３（６３ａ、６３ｂ）の前後方向に沿った方向（乗せられる枚葉紙束Ｌの短辺に沿った方向）の両端部に、枚葉紙束Ｌが載置される部分としての撓み抑制部６４（６４ａ、６４ｂ、６４ｃ）が残されて形成されている。
【００４６】
本実施形態では、図３における枚葉紙束Ｌの端面ＳＳ２が枚葉紙束Ｌの綴じられる一辺側となり、第二受け止め面４０ｂは、枚葉紙束Ｌの短辺部分の綴じられる側と反対側の端面ＳＳ１を受け止め可能とされている（実用新案登録請求の範囲の第一受け止め面に相当することになる。）。
【００４７】
右受け止め面３１ｂ及び左受け止め面３２ｂは、枚葉紙束Ｌの短辺部分の右側の端面（枚葉紙束Ｌの枚葉紙束Ｌの綴じられる一辺と直交する辺の側の端面）ＬＳ１を受け止め可能とされている（実用新案登録請求の範囲の第二受け止め面に相当することになる。）。
【００４８】
上記構成の製本用治具１０Ａでは、上記製本用治具１０の効果を奏し、特に、短辺綴じの見栄えの良い冊子を作成する場合に好適なものである。
【００４９】
また、製本用治具１０、製本用治具１０Ａは、木製であるが、材質については、とくにこだわらない。例えば、合成樹脂、金属で形成することができる。
【００５０】
また、上記実施形態では、ベース板２０の上面２２の高さを、設置面Ｆから２１ｍｍに設定しているが、卓上で使用されるステープラ５０の曲げ台５１の上端面５１ａの設置面Ｆからの高さ設定に対応させて、ベース板２０の上面２２の高さを設定することも可能である。
【００５１】
また、製本用治具１０、製本用治具１０Ａは、右受け止め部３１と左受け止め部３２との間に、既存のストッパー金具を設けて、枚葉紙束Ｌを、ベース板２０の上面２２と、ストッパー金具とで上下方向において挟み込んで固定する構成とすることも可能である。これによれば、ストッパー金具により、枚葉紙束Ｌの形状を安定させてから、ステープラ５０で綴じることが可能となる。
【符号の説明】
【００５２】
１０  製本用治具
１０Ａ  製本用治具
２０  ベース板
２１  下面
２２  上面
２３（２３ａ、２３ｂ、２３ｃ）  切り欠き部
２４（２４ａ、２４ｂ、２４ｃ、２４ｄ）  撓み抑制部
３０  第一受け止め部
３１  右受け止め部
３１ｂ  右受け止め面
３２  左受け止め部
３２ｂ  左受け止め面
３３  第一受け止め面
４０  第二受け止め部
４０ｂ  第二受け止め面
５０  ステープラ
５１  曲げ台
５１ａ  上端面
６３（６３ａ、６３ｂ）  切り欠き部
６４（６４ａ、６４ｂ、６４ｃ）  撓み抑制部
Ｆ  設置面
Ｌ  枚葉紙束
ＬＳ１  端面
ＬＳ２  端面
Ｓ  間隔
ＳＳ１  端面
ＳＳ２  端面
Ｗ  枚葉紙
【図１】
0003185021.tif 000003
【図２】
0003185021.tif 000004
【図３】
0003185021.tif 000005
【図４】
0003185021.tif 000006
【図５】
0003185021.tif 000007